【手続補正書】
【提出日】平成17年2月24日(2005.2.24)
【手続補正１】
【補正対象書類名】特許請求の範囲
【補正対象項目名】全文
【補正方法】変更
【補正の内容】
【特許請求の範囲】
【請求項１】
有益な作用物質を保管し、前記有益な作用物質をリザーバ内の成分と混合するための薬剤送出装置であって、
内部空間を画定し、第１の端部分と第２の端部分とを有する容器と、
前記容器の内部空間とリザーバとの間に流体連通を提供する第１の流路と、
前記容器内を滑るピストン部材を含む、前記第１の流路を通ってリザーバへ前記有益な作用物質を送出するためのプランジャ部材と、
リザーバと流体連通するアクセスポートとを具備し、前記混合された有益な作用物質および成分が、リザーバから前記アクセスポートへ流れる、薬剤送出装置。
【請求項２】
前記第１の流路内に受け取られることができるプラグをさらに具備し、前記プラグが、前記容器の内部空間とリザーバとの間に流体連通を確立するために取り外されなければならない、請求項１に記載の薬剤送出装置。
【請求項３】
前記プランジャ手段が、第１の端部分と第２の端部分とを有し、前記プランジャ部材の第１の端部分と前記容器の前記第１の端部分とが、前記有益な作用物質用のチャンバを画定し、前記プランジャの前記第１の端部分が、前記第１の流路を通ってリザーバへ前記有益な作用物質を押し込むために、前記容器の内部内に取り付けられる、請求項１に記載の薬剤送出装置。
【請求項４】
前記アクセスポートが、前記プランジャ部材の第２の端部分に取り付けられ、前記プランジャ部材が、プランジャ部材を通って前記第１の端部分から前記第２の端部分への第２の流路を画定し、前記第２の流路が、リザーバと前記アクセスポートとの間に流体連通を提供する、請求項３に記載の薬剤送出装置。
【請求項５】
前記プランジャ部材内に配置されるペネトレータをさらに具備し、前記プランジャ部材が、リザーバから前記第２の流路への流体連通を封止するために前記プランジャの前記第１の端部分に貫通可能な部材を有し、前記ペネトレータが、前記貫通可能な部材を貫通してリザーバと前記第２の流路との間に流体連通を確立する、請求項４に記載の薬剤送出装置。
【請求項６】
実質的にすべての前記有益な作用物質をリザーバに送出したときに、前記プランジャ部材に係合するロックをさらに具備する、請求項３に記載の薬剤送出装置。
【請求項７】
前記容器に取り付けられた安全リングをさらに具備し、前記安全リングが、前記プランジャ部材の前記第１の端部分を前記容器の前記第１の端部分へ向けて押し込むことを防止する、請求項３に記載の薬剤送出装置。
【請求項８】
前記アクセスポートを囲むカバーをさらに具備し、前記カバーが、前記プランジャ部材に接続された締結具を有し、前記容器が、実質的にすべての前記有益な作用物質をリザーバに送出したときに、前記プランジャ部材から前記締結具を分離する、請求項１に記載の薬剤送出装置。
【請求項９】
前記容器が圧潰可能である、請求項１に記載の薬剤送出装置。
【請求項１０】
薬剤送出装置であって、
内部空間を画定し、第１の端と第２の端とを有する容器と、
前記容器の前記第１の端から延在する薬剤送出チューブとを具備し、前記薬剤送出チューブが第１の流路を画定し、前記第１の流路が、前記容器によって画定される前記内部空間と前記容器の外部環境との間に流体連通を提供し、前記薬剤送出装置がさらに、
第１の端部分と第２の端部分とを有するプランジャ部材を具備し、前記プランジャ部材の前記第１の端部分が、前記容器によって画定される前記内部空間内に取り付けられ、前記プランジャ部材が、プランジャ部材を通ってプランジャ部材の前記第１の端部分から前記第２の端部分への第２の流路を画定し、プランジャ部材が、前記容器内を滑るピストン部材を含み、前記薬剤送出装置がさらに、
前記プランジャ部材の前記第２の端部分に取り付けられたアクセスポートを具備し、前記アクセスポートが、アクセスポートを通って前記第２の流路と流体連通する流体流れチャネルを画定する、薬剤送出装置。
【請求項１１】
前記第１の流路内にプラグをさらに具備し、前記プラグが、前記内部空間と外部環境との間に流体連通を確立するために取り外されなければならない、請求項１０に記載の薬剤送出装置。
【請求項１２】
前記プランジャ部材内に配置されるペネトレータをさらに具備し、前記プランジャ部材が、前記プランジャ部材の前記第１の端部分に貫通可能な部材を有し、前記ペネトレータが、前記貫通可能な部材を貫通して前記送出チューブと前記第２の流路との間に流体連通を提供する、請求項１０に記載の薬剤送出装置。
【請求項１３】
投与するための混合物を形成するために有益な作用物質を成分と混ぜ合わせる方法であって、
ａ）成分を含むリザーバを提供するステップと、
ｂ）第１の端部分と第２の端部分とを有し、有益な作用物質を含む内部を画定する容器を提供するステップと、
ｃ）前記容器の内部と前記リザーバとの間に流体連通を確立するステップと、
ｃ’）ピストン部材を有するプランジャを提供するステップと、
ｃ”）容器内でピストン部材を滑らせるステップと、
ｄ）前記有益な作用物質を前記リザーバに押し込むステップと、
ｅ）前記成分と前記有益な作用物質を前記リザーバ内で混合するステップと、
ｆ）前記混合された有益な作用物質および成分を、前記容器を通してアクセスポートへ送出するステップとを含む、方法。
【請求項１４】
前記リザーバと前記容器との間に流体連通が確立されたことを示す可聴信号を提供するステップをさらに含む、請求項１３に記載の、投与するための混合物を形成するために有益な作用物質を成分と混ぜ合わせる方法。
【請求項１５】
前記容器と前記リザーバとの間に流体連通を確立するステップが、
薬剤送出チューブを提供するステップを含み、前記薬剤送出チューブが、前記薬剤送出チューブ内に嵌められたプラグを備えた前記容器の前記第１の端部分に接続されており、前記プラグが、前記リザーバと前記容器との間の流体連通を防止し、前記容器と前記リザーバとの間に流体連通を確立するステップがさらに、
前記プラグを前記送出チューブから取り除くステップとを含む、請求項１３に記載の、投与するための混合物を形成するために有益な作用物質を成分と混ぜ合わせる方法。
【請求項１６】
前記容器と前記リザーバとの間に流体連通を確立するステップが、前記リザーバの貫通可能部材を貫通するステップをさらに含む、請求項１５に記載の、投与するための混合物を形成するために有益な作用物質を成分と混ぜ合わせる方法。
【請求項１７】
前記有益な作用物質を前記リザーバに押し込むステップが、
第１の端部分と第２の端部分とを有するプランジャ部材を提供するステップを含み、前記プランジャ部材の前記第１の端部分および前記容器の前記第１の端部分が、前記有益な作用物質用のチャンバを画定し、前記有益な作用物質を前記リザーバへ送出するステップがさらに、
前記プランジャ部材の前記第１の端部分を前記容器の前記第１の端部分へ向けて動かし、前記有益な作用物質を前記チャンバから前記リザーバへ押し込むステップを含む、請求項１３に記載の、投与するための混合物を形成するために有益な作用物質を成分と混ぜ合わせる方法。
【請求項１８】
前記混合された有益な作用物質および成分をアクセスポートへ送出するステップが、前記プランジャ部材の貫通可能部材を貫通して、前記リザーバと前記アクセスポートとの間に流体連通を提供することを含む、請求項１７に記載の、投与するための混合物を形成するために有益な作用物質を成分と混ぜ合わせる方法。
【請求項１９】
前記容器が、実質的にすべての前記有益な作用物質を前記リザーバに送出したときに前記プランジャ部材に係合するロックを含む、請求項１７に記載の、投与するための混合物を形成するために有益な作用物質を成分と混ぜ合わせる方法。
【請求項２０】
有益な作用物質を保管し、前記有益な作用物質をリザーバ内の成分と混合するための薬剤送出装置であって、
内部空間を画定し、第１の端部分と第２の端部分とを有する容器と、
前記容器の内部空間とリザーバとの間に流体連通を提供する第１の流路と、
前記第１の流路を通ってリザーバへ前記有益な作用物質を送出するための手段と、
リザーバと流体連通するアクセスポートとを具備し、前記混合された有益な作用物質および成分が、リザーバから前記アクセスポートへ流れ、前記薬剤送出装置がさらに、
前記アクセスポートを閉鎖するカバーを具備し、リザーバへ実質的に全ての有益な作用物質の送出前に、カバーは、薬剤送出装置から取り外されることができない薬剤送出装置。